(57)【要約】【課題】簡便、安全かつ安価にロールスクリーン生地を窓枠に取り付ける装置及び方法の提供。【解決手段】光を遮るロールスクリーン生地を窓枠に取り付ける設置装置であって、前記ロールスクリーン生地の幅方向における前記窓枠の両端のそれぞれに設けられ、前記窓枠に固定可能な窓枠固定部および前記窓枠固定部に支持されるガイド嵌合部を有するステーと、前記ロールスクリーン生地を収納可能であり、前記ガイド嵌合部と嵌合するガイドレールを有し、前記前記ガイド嵌合部と前記ガイドレールとの嵌合により前記ステーに支持されるケースと、を備える。【選択図】図２
2017025641.tif 000002
【特許請求の範囲】
【請求項１】
光を遮るロールスクリーン生地を窓枠に取り付ける設置装置であって、
前記ロールスクリーン生地の幅方向における前記窓枠の両端のそれぞれに設けられ、前記窓枠に固定可能な窓枠固定部および前記窓枠固定部に支持されるガイド嵌合部を有するステーと、
前記ロールスクリーン生地を収納可能であり、前記ガイド嵌合部と嵌合するガイドレールを有し、前記前記ガイド嵌合部と前記ガイドレールとの嵌合により前記ステーに支持されるケースと、を備える設置装置。
【請求項２】
前記ガイドレールは、前記ガイド嵌合部に対して前記ロールスクリーン生地の幅方向に移動可能であるとともに、その移動方向に垂直な方向において前記ガイド嵌合部と接触することで移動が規制される、請求項１に記載の設置装置。
【請求項３】
前記ガイド嵌合部に対向し、前記ガイド嵌合部との間に前記ガイドレールを挟み込むプレートと、前記ガイド嵌合部と前記プレートとを互いに接近する方向に締結する締結部とを備える、請求項１又は２に記載の設置装置。
【請求項４】
請求項１〜３のいずれかに記載の設置装置を備え、ロールスクリーン生地を窓枠に取り付けてなる日射遮蔽装置。
【請求項５】
光を遮るロールスクリーン生地を窓枠に取り付ける設置方法であって、
前記ロールスクリーン生地の幅方向における前記窓枠の両端のそれぞれに、窓枠固定部および前記窓枠固定部に支持されるガイド嵌合部を有するステーの前記窓枠固定部を固定し、
前記ガイド嵌合部と嵌合するガイドレールを有し前記ロールスクリーン生地を収納可能なケースを、前記前記ガイド嵌合部と前記ガイドレールとの嵌合により前記ステーに支持させる、設置方法。
【請求項６】
前記ガイド嵌合部に対向し、前記ガイド嵌合部との間に前記ガイドレールを挟み込むようにプレートを配置し、前記ガイド嵌合部と前記プレートとを互いに接近する方向に締結部により締結する、請求項５に記載の設置方法。
【発明の詳細な説明】
【技術分野】
【０００１】
本発明は、設置装置、設置方法、及び日射遮蔽装置に関する。
【背景技術】
【０００２】
従来、日本では窓からの日射遮蔽のために「すだれ」や「よしず」が多用されてきた。しかし、これらは最近の洋風外観の家にはデザイン的に適合せず、採用されることが少なくなってきた。そして、すだれ等の代わりに、室内で使用されてきたロールスクリーンが、日射遮蔽のため室外に設置され、外付けロールスクリーンとして使用されるようになってきた。
【０００３】
外付けロールスクリーンのロールスクリーン生地は、通常、巻取った状態でケースに収納されており、使用の際、均等に下方に引き出される。ロールスクリーン収納ケースは窓枠の外側に取り付けるが、例えば、特許文献１には、窓枠の上部に収納ケースを設置する場合には収納ケースを窓枠上部にある受け桟などに、ビスにより直接に固定するか、ビス以外の締結金具を用いて固定することが開示されている。また、特許文献２には、ケースに収納されたスクリーン生地を引き出し方向あるいは巻き取り方向へ案内するガイドレールと、このガイドレールを窓枠に対し着脱可能に外付けするステーとを備える外付けロールスクリーンが開示されている。
【０００４】
また、市販品として、ステーの片端を窓の縦枠に挟み込んで固定し、このステーの他端と、前記ケースの周壁の窓枠側に設けられた長さ方向のガイドレールに嵌合し、且つケースから外れないようにスライドするプレートとをケースを介してビスで固定し、ロールスクリーンを窓枠に設置する設置装置が知られている。
【先行技術文献】
【特許文献】
【０００５】
【特許文献１】特開平１０−２０５２５５号公報
【特許文献２】特開２００５−１１３５７７号公報
【発明の概要】
【発明が解決しようとする課題】
【０００６】
しかしながら、特許文献１に記載の装置では、前記ケースを窓枠上部の下地材にビスまたは締結金具を用いて固定するので窓の外側からの設置となる。これでは二階以上の窓に足場がない場合には設置が困難となる。また、設置にはケースを保持しながらケースと窓枠とをビスまたは締結金具を固定するので、ケースを保持する作業者とビスなどの固定作業をする作業者の少なくとも二人が必要になる。また、特許文献２に記載の外付けロールスクリーンは、ロールスクリーンを窓枠に設置する構造が複雑であり、取り付けに手間がかかる。
【０００７】
また、上述の市販の装置では、外付けロールスクリーンの収納ケースを窓の外側に取付け設置する場合、この窓の縦枠に固定されているステーと、ロールスクリーンの収納ケースの窓枠側の周壁に形成されたガイドレールに横移動可能に装着されているプレートと、をケースを介してネジで固定する際に、ロールスクリーンの収納ケースを所定の位置で保持する作業者と、ステーとプレートとをネジで固定する作業者との少なくとも二人での作業が必要となる。また、少なくとも一人の作業者がステーとプレートとをネジで固定する作業中、もう一人の作業者は、収納ケースを所定の位置において、人手で収納ケースを保持していなければならない。この収納ケースを保持することにミスが発生すれば、外付けロールスクリーンは落下するので、２階以上のマンションや住宅の場合にはこの落下による階下での人身事故などの危険を孕んでいる。また、収納ケースを窓枠に対する設置する位置は、収納ケースに嵌合されたプレートの位置で決まるが、プレートは横移動がし易く所定の位置で設置するには困難である。
【０００８】
本発明は、上記の事情に鑑みなされたものであり、光をロールスクリーン生地を窓枠に取り付ける設置装置及び方法であって、一人作業が可能な程度に簡便かつ安価であり、さらに、安全性にも優れる設置装置及び設置方法を提供することを目的とする。
【課題を解決するための手段】
【０００９】
本発明の設置装置は、光を遮るロールスクリーン生地を窓枠に取り付ける設置装置であって、前記ロールスクリーン生地の幅方向における窓枠の両端のそれぞれに設けられ、窓枠に固定可能な窓枠固定部および窓枠固定部に支持されるガイド嵌合部を有するステーと、ロールスクリーン生地を収納可能であり、ガイド嵌合部と嵌合するガイドレールを有し、ガイド嵌合部とガイドレールとの嵌合によりステーに支持されるケースと、を備える。
【００１０】
また、ガイドレールは、ガイド嵌合部に対してロールスクリーン生地の幅方向に移動可能であるとともに、その移動方向に垂直な方向においてガイド嵌合部と接触することで移動が規制されてもよい。また、ガイド嵌合部に対向し、ガイド嵌合部との間にガイドレールを挟み込むプレートと、ガイド嵌合部とプレートとを互いに接近する方向に締結する締結部とを備えてもよい。
【００１１】
本発明の日射遮蔽装置は、上記設置装置を備え、ロールスクリーン生地を窓枠に取り付けてなる。
【００１２】
本発明の設置方法は、光を遮るロールスクリーン生地を窓枠に取り付ける設置方法であって、ロールスクリーン生地の幅方向における窓枠の両端のそれぞれに、窓枠固定部および窓枠固定部に支持されるガイド嵌合部を有するステーの窓枠固定部を固定し、ガイド嵌合部と嵌合するガイドレールを有しロールスクリーン生地を収納可能なケースを、ガイド嵌合部とガイドレールとの嵌合によりステーに支持させる。
【００１３】
また、ガイド嵌合部に対向し、ガイド嵌合部との間にガイドレールを挟み込むようにプレートを配置し、ガイド嵌合部とプレートとを互いに接近する方向に締結部により締結してもよい。
【発明の効果】
【００１４】
本発明の設置装置及び設置方法は、窓枠の外側に取り付ける際、室内での一人作業でも安全かつ容易、安価に外付けロールスクリーンを窓枠の外側に設置することができる。また、本発明の設置装置及び設置方法は、構造が簡単であり、かつ、製作費も安いため、日射遮蔽装置をより安価に提供できる。これより日射遮蔽装置を、多くの既築や新築の住宅やマンションに、安価な設備費及び製作費で提供することができる。夏季の窓から室内への日射取得熱は全日射熱量の３０％程度以上になるので、本発明の設置装置、日射遮蔽装置及び設置方法を用いて、外付けロールスクリーンを設置することにより、夏季の室内の熱環境が改善され、空調エネルギーを著しく節減することができる。
【図面の簡単な説明】
【００１５】
【図１】図１は、日射遮蔽装置の一実施の形態を示す正面図である。
【図２】図２は、設置装置の一実施の形態を示す斜視図である。
【図３】図３は、ステーの一例を示す斜視図である。
【図４】図４は、ステーを長さ方向から見た側面図である。
【図５】図５は、ステーが窓枠に固定された状態の一例を示す斜視図である。
【図６】図６は、ステーが窓枠に固定された状態の一例を示す断面図である。
【図７】図７は、ケースの一例を示す斜視図である。
【図８】図８は、設置装置の一実施の形態を示す断面図である。
【図９】図９は、日射遮蔽装置の他の実施の形態を示す斜視図である。
【発明を実施するための形態】
【００１６】
以下、本発明の一実施の形態について、図面を参照しながら説明する。ただし、本発明は以下説明する実施形態に限定されるものではない。図面においては、適宜、模式的に表現することや、縮尺を変更して表現することがある。また、部材の位置や方向などを、適宜、図１などに示すＸＹＺ直交座標系を参照して説明する。このＸＹＺ直交座標系において、Ｘ方向およびＹ方向は水平方向であり、Ｚ方向は鉛直方向（上下方向）である。Ｘ方向は奥行き方向であり、Ｙ方向は左右方向である。
【００１７】
図１は、本実施形態に係る日射遮蔽装置１Ａの一例を示す正面図である。日射遮蔽装置１Ａは、設置装置２により、光を遮るロールスクリーン生地３を窓枠４の上部に取り付けてなる。設置装置２は、ロールスクリーン生地３を収納可能なケース５と、後述するステー７（図２）とを備える。ロールスクリーン生地３の幅は、日射を遮蔽するため、窓枠の幅と同じ程度、又は、それよりも大きい。また、これを収納するケース５は、窓枠の幅よりも大きい。ケース５は、窓枠４の縦枠の両端に固定されたステー７に支持される。日射遮蔽装置１Ａは、ロールスクリーン生地３をＺ方向（矢印方向）の任意の位置に引出したり、巻き戻したりして、任意の手段で固定し、窓からの日射の遮蔽を可能とする。
【００１８】
図２は、本実施形態の設置装置２の一例を示す斜視図である。設置装置２は、ガイドレール６を有するケース５と、窓枠４の両端に設けられ、ケース５を支持するステー７と、締結部８により、ガイドレール６を挟んでステー７に近接する方向へ締結されるプレート９と、を備える。以下、各部位について、詳細を説明する。
【００１９】
図３及び図４は、ステー７の一例を示す斜視図及び側面図である。ステー７は、長さ方向の断面が略Ｌ字形であり、片方の端に、窓枠４に固定可能な窓枠固定部１０と、他方の端に、ガイドレール６と嵌合するガイド嵌合部１１と、これらの間に配置される中間部１２と、を有する。ガイド嵌合部１１は、ビスを挿入可能なビス孔１３が設けられる。ビス孔１３は、図２に示すように、後述する締結部材（ビス）１４とともに、締結部８を構成する。
【００２０】
窓枠固定部１０は、折り曲げ構造を有する折り曲げ部１５を含む。折り曲げ部１５は、窓枠４などの平板状物を挟み込んで固定するように折り曲げられている。折り曲げ部１５の長さは、例えば、５ｍｍ以上２０ｍｍ以下である。折り曲げ部１５の幅は、例えば、４０ｍｍ以上１００ｍｍ以下である。
【００２１】
ガイド嵌合部１１は、平板状の形状である。図２に示すように、ガイド嵌合部１１は、ガイドレール６に嵌合し、Ｙ方向に移動可能に形成される。ガイド嵌合部１１の長さは、例えば、３０ｍｍ以上８０ｍｍ以下である。ガイド嵌合部１１の幅は、ガイドレールの６の開口部の幅よりも広く形成し、例えば、３０ｍｍ以上８０ｍｍ以下である。ここで、ガイドレールの６の開口部とは、後述する上下一対の凸部６ａ間に形成される部位をいう。
【００２２】
中間部１２の幅は、ガイドレール６の開口部の幅よりも狭く形成することができ、例えば、開口部の幅よりも１ｍｍ〜２ｍｍ程度狭い。これにより、ガイド嵌合部１１とガイドレール６とを嵌合した際、中間部１２が開口部を移動することができる。
【００２３】
図５及び図６は、ステー７を窓枠４に取り付けた状態の一例を示す斜視図及び断面図である。図５及び図６に示すように、窓枠固定部１０は、窓枠４を折り曲げ部１５により挟み、折り曲げ部１５の弾性により、ステー７を窓枠４に圧着し、固定する。これにより、ネジ等の締結部材を用いなくとも、ステー７を窓枠４に固定することができる。なお、窓枠固定部１０は、折り曲げ構造以外の構造を有してもよく、例えば、ネジ等の締結部材を用いて、ステー７と窓枠４とを固定してもよい。
【００２４】
ステー７の材料は、例えば、厚さ０．５ｍｍ以上２ｍｍ以下の鋼板から形成される。これにより、折り曲げ部１５を用いて窓枠４を挟み込んだ後も、その圧着力を十分保持することができる。鋼板は、バネ鋼を成型後に、熱処理をすることにより、弾性力を向上させることができる。なお、ステー７の厚み、長さ、幅などの範囲は、上記の例示の範囲以外でもよく、設置装置２の設置される窓枠４の形状、大きさ、材質等により、適宜、調整してもよい。また、ステー７の材料は、窓枠４を挟み込んだ後も、その圧着力を十分保持することができる材料であれば鋼板以外の材料でもよい。
【００２５】
なお、ガイド嵌合部１１と、窓枠固定部１０は、上記では、同一の材料から一体的に形成されるが、それぞれ異なる部材から形成されてもよい。異なる部材から形成される場合、例えば、ガイド嵌合部１１と窓枠固定部１０とが、ネジ等の締結部材や接着剤などで接続され、ステー７が形成されてもよい。
【００２６】
図７は、ケース５の一例を示す斜視図である。ケース５は、ガイドレール６を有する。ガイドレール６は、断面略Ｃ字状に形成され、ガイド嵌合部１１に対してＹ方向（幅方向）に移動可能であるとともに、その移動方向に垂直なＺ方向においてガイド嵌合部１１と接触することで移動が規制される。また、ガイドレール６は、Ｚ方向に突出した凸部６ａを有することで、ガイド嵌合部１１のＸ方向及びＺ方向への移動を規制する。
【００２７】
ガイドレール６の開口部を形成する凸部６ａの厚みは、例えば、１ｍｍ以上３ｍｍ以下である。これにより、ガイド嵌合部１１をガイドレール６に嵌合した際、はずれてしまうことを防止することができる。なお、ガイドレール６は、ガイドレール６を有さないケースに、後付けで設置してもよい。また、図７では、ガイドレール６は、ケース５の幅方向全体に連続して配置されるが、ケース５の両端部を含む一部のみに配置されてもよい。ケース５の材料は、例えば、アルミ、鉄、銅及び合成樹脂などを主成分とする組成物を用いることができる。
【００２８】
図８は、設置装置２の一実施の形態を示す断面図である。プレート９は、ガイド嵌合部１１に対向して、ガイドレール６の凸部６ａを挟むように配置される。プレート９とガイド嵌合部１１とは、ビス１４などの締結部材を用いて締め付けることで、ケース５に固定される。ガイドレール６は、取り付けられたビス１４を緩めるまたは外すことにより、ステー７を介して、ケース５全体をＹ方向へ移動させることを可能とする。
【００２９】
図９は、本実施形態に係る設置装置２を用いて設置した日射遮蔽装置１Ｂの他の例を示した図である。日射遮蔽装置１Ｂは、ロールスクリーン生地３と、ケース５と、ステー７と、アーム１７と、窓枠４に取り付けられたヒンジ１８と、を備える。アーム１７は、一方の端をロールスクリーン生地３に取り付けられ、他方の端をアーム１７に取り付けられる。ヒンジ１８は、アーム１７を円状に移動させることにより、ロールスクリーン生地３をＸ方向及びＺ方向の任意の位置に固定し、窓からの日射の遮蔽を可能とする。なお、本実施形態の設置装置２は、上記した日射遮蔽装置１Ａ、１Ｂ以外の装置にも用いることができ、例えば、シャッター、ブラインド、雨戸などに用いることができる。
【００３０】
以下、本実施形態のロールスクリーン生地３を窓枠４に取り付ける設置方法の一例を説明する。
【００３１】
まず、図５に示すように、窓枠４の両端部のそれぞれに窓枠固定部１０を有するステー７を取り付ける。すなわち、折り曲げ構造を有する窓枠固定部１０を窓枠４にあてがい、シャコ万またはＬ型クランプなどを用いて窓枠固定部１０の折り曲げ部で窓枠４を挟みこむ。これによりステー７は窓枠４に固定される。他方の窓枠４においても、同様の方法でステー７を固定する。
【００３２】
次いで、ケース５のガイドレール６の片端を、一方の窓枠４に固定されたステー７のガイド嵌合部１１に嵌合させる。次いで、ケース５の他端を他方の窓枠４の位置まで押し込む。ここでケース５を、前記押し込んだ方向とは逆方向に移動させて、ガイドレール６の他端を他方の窓枠４に固定されたステー７のガイド嵌合部１１に嵌合させ押し込む。これにより、ケース５がステー７に支持される。そして、ケース５のＹ方向の中央と窓枠４のＹ方向の中央が重なる位置にケース５を移動させ、位置を合わせる。次いで、図８に示すように、プレート９を、ケース５を介して、ガイド嵌合部１１に重ねて、プレート９とステー７とをビス１４で締め付け、ガイド嵌合部１１とプレート９とでケース５を挟み込むことで、ケース５を窓枠４に固定することができる。
【００３３】
以上のように、本実施形態におけるケース５と、ステー７とを備える設置装置２及び設置方法は、極めて簡単な装置又は方法であるが、非常に有用である。
【００３４】
以上、本発明の実施形態について説明したが、本発明の技術範囲は、上記実施形態に何ら限定されるものではなく、本発明の趣旨を逸脱しない範囲で種々の改良が可能である。
【符号の説明】
【００３５】
１Ａ，Ｂ    日射遮蔽装置
２          設置装置
３          ロールスクリーン生地
４          窓枠
５          ケース
６          ガイドレール
７          ステー
８          締結部
９          プレート
【図１】
2017025641.tif 000003
【図２】
2017025641.tif 000004
【図３】
2017025641.tif 000005
【図４】
2017025641.tif 000006
【図５】
2017025641.tif 000007
【図６】
2017025641.tif 000008
【図７】
2017025641.tif 000009
【図８】
2017025641.tif 000010
【図９】
2017025641.tif 000011